(57)【要約】      （修正有）【課題】まくらからの反発力により鎖骨周辺と耳周辺のツボを寝ながらでも刺激することができる健康まくらを提供する。【解決手段】まくら本体１０と、額を支持するうつ伏せ用まくら３０と、まくら本体１０とうつ伏せ用まくら３０が固定される器具本体２０とを有した健康まくらであって、器具本体２０は、まくら本体１０が載置される板状のまくら乗せ部２１と、まくら本体１０を保持するまくら保持部２２と、器具本体２０の傾斜角度を変更する角度変更部２４とを備えており、まくら保持部２２は、まくら乗せ部２１の表側の左右両端において、略９０度の角度を保つよう、まくら乗せ部２１の内側へ向かって付勢して取り付けてあり、角度変更部２４は、まくら乗せ部２１の底面側に起倒自在に設置されているとともに、まくら乗せ部２１の底面側に沿って回転自在であり、まくら本体１０は、上面中央部に略円形状の凹部１１と、該凹部１１の前側に設けた開口部１２とを有する。【選択図】図１
0003221184.tif 000002
【実用新案登録請求の範囲】
【請求項１】
まくら本体と、額を支持するうつ伏せ用まくらと、前記まくら本体と前記うつ伏せ用まくらが固定される器具本体と、を有した健康まくらであって、
器具本体は、まくら本体が載置される板状のまくら乗せ部と、載置されたまくら本体を保持するまくら保持部と、器具本体の傾斜角度を変更する角度変更部と、を備えており、
まくら保持部は、まくら乗せ部の表側の左右両端において、まくら乗せ部と略９０度の角度を保つようまくら乗せ部の内側へ向かって付勢して取り付けてあり、
角度変更部は、まくら乗せ部の底面側に起倒自在に設置されているとともに、まくら乗せ部の底面側に沿って回転自在であり、
まくら本体は、上面中央部に略円形状の凹部と、該凹部の前側に設けた開口部と、を有することを特徴とする健康まくら。
【請求項２】
前記まくら本体は、まくらスポンジを備えてあって、
まくらスポンジは、中央部を略円柱状に穿孔した貫通孔と、まくらスポンジの一部を切断した切片と、を有しており、
切片は、まくらスポンジの外周側に向かって曲折して、前記貫通孔と連通した溝を設けたことを特徴とする、請求項１記載の健康まくら。
【考案の詳細な説明】
【技術分野】
【０００１】
本考案は、就寝時に耳が押さえつけられることによる痛みが無く、且つ、鎖骨周辺のツボや、耳の付け根周辺のツボを押さえることができるまくらに関するものである。
【背景技術】
【０００２】
就寝時において、頭部を支えるまくらは心地よい睡眠をもたらすために必要不可欠な寝具の一つである。睡眠時の体勢は個人によって様々であるため、多種多様なまくらの形状が提供されており、例えば、うつ伏せで寝る際に用いるまくらは、顔や喉がまくらに押し付けられることで息苦しくならないよう、略Ｕ字状等の形状をしているものが存在する。しかしながら、まくらの大きさによっては使用者自身の顔のサイズと合わないことから、まくらがフィットせず気持ちよく眠ることができない場合がある。
【０００３】
また、人体には指圧や鍼等で刺激を与えると体の不調や諸症状の改善が期待できる「ツボ」が数多く存在する。このツボを押す治療では、指圧、鍼、灸による外部からの刺激を要するが、どの治療法も自身で刺激するよりも第三者による施術の方がより心地よく、効果的である。
【考案の概要】
【考案が解決しようとする課題】
【０００４】
本考案は上記事情に鑑み、うつ伏せ寝で使用する際に顔の位置を自在に調整することが可能で、且つ、まくらからの反発力により鎖骨周辺と耳周辺のツボを寝ながらでも刺激することができる健康まくらを提供することを目的とする。
【課題を解決するための手段】
【０００５】
まくら本体と、額を支持するうつ伏せ用まくらと、前記まくら本体と前記額乗せ部が固定される器具本体とを有した健康まくらであって、器具本体は、まくら本体が載置される板状のまくら乗せ部と、載置されたまくら本体を保持するまくら保持部と、器具本体の傾斜角度を変更する角度変更部とを備えており、まくら保持部は、まくら乗せ部の表側の左右両端において、まくら乗せ部と略９０度の角度を保つようまくら乗せ部の内側へ向かって付勢して取り付けてあり、角度変更部は、まくら乗せ部の底面側に起倒自在に設置されているとともに、まくら乗せ部の底面側に沿って回転自在であり、まくら本体は、上面中央部に略円形状の凹部と、該凹部の前側に設けた開口部とを有することを特徴とする。
【０００６】
前記まくら本体は、まくらスポンジを備えてあって、まくらスポンジは、中央部を略円柱状に穿孔した貫通孔と、まくらスポンジの一部を切断した切片とを有しており、切片は、まくらスポンジの外周側に向かって曲折して、前記貫通孔と連通した溝を設けたことを特徴とする。
【考案の効果】
【０００７】
請求項１記載の考案によれば、まくら本体はまくら保持部で挟扼することで固定されているため、まくら保持部を外すだけでまくら本体を移動することができる。これにより、使用者に合わせたうつ伏せ用まくらとの距離の変更が簡便になり、使用者にフィットしたまくらを提供することができる。
また、角度変更部の起倒によって健康まくら全体の傾斜角度を変更することができるため、使用者の好みに応じたまくら高を選択することが可能である。
【０００８】
請求項２記載の考案によれば、切片はまくらスポンジの一部を切断しただけのものであるため完全に分離しておらず、従来のうつ伏せ用まくらにあるような略Ｕ字形のまくらではない、独特の意匠性を有したまくらとすることができる。また、切片がまくらスポンジの外側に飛び出す構成となっているため、まくらカバーを掛けた際に切片よってカバーが引っ張られ、まくら本体の表面に皺が寄らず、意匠性の良いまくらを提供することができる。
【図面の簡単な説明】
【０００９】
【図１】本考案の健康まくらの斜視図である。
【図２】うつ伏せで寝る際における健康まくらの使用方法を図示した概略図である。
【図３】横向きで寝る際における健康まくらの使用方法を図示した概略図である。
【図４】（ａ）はまくらスポンジの斜視図であり、（ｂ）はまくらカバーを掛けた（ａ）におけるＡ−Ａ断面図である。
【考案を実施するための形態】
【００１０】
本考案の健康まくらは、図１に示されるようにまくら本体１０と、前記まくら本体１０を載置する器具本体２０及び器具本体２０の後側に取付けられるうつ伏せ用まくら３０とを有する。なお、ここで言う前後とは、図１にて示した方向を言う。
【００１１】
図１及び図４（ｂ）に示すように、まくら本体１０は略直方体状のまくらであって、まくら本体１０を覆うまくらカバー１３と、まくらカバー１３に覆われたまくらスポンジ１４と、中央に略円形状に窪んだ凹部１１と、凹部１１の前側に設けられた開口部１２を備えている。
まくら本体１０に設けられた凹部１１は、図４（ｂ）に示すように、まくらスポンジ１４の中央に設けた略円錐状の貫通孔１５を上からまくらカバー１３で覆うことで、まくらスポンジ１４の貫通孔１５内にまくらカバー１３が落ち込んで形成されている。
開口部１２は、まくらスポンジ１４の上部を一部切断した切片Ｐをまくらの本体１０の外側に曲折すると、図４（ａ）に示すような貫通孔１５と連通した溝となり、その溝がまくらカバー１３に覆われることで形成される。該切片Ｐは、まくらスポンジ１４を上面から下面に向かって略垂直に、まくらスポンジ１４の厚さに対しておおよそ半分の深さの切り込みを入れて、切り込みを入れた部分を外側に折りたたむことで形成されている。この時切片Ｐは、外側に折りたたまれた状態が維持できるように切片Ｐとまくらスポンジ１４の間にマジックテープ（登録商標）等を装着することで固定しても良い。
うつ伏せ用まくら３０は、図１に示すような略直方体状の額用まくらであり、うつ伏せ用カバー３１とその内部に収納されている図示しない緩衝材で構成されている。うつ伏せ用カバー３１の両端は長く帯状になった固定ベルト３２、３２を有しており、その末端にはそれぞれ固着具３３、３３が備えられている。
【００１２】
器具本体２０は、図１に示すように矩形板状のまくら乗せ部２１と、前記まくら乗せ部２１の左右両側に取付けられたまくら保持部２２、２２と、まくら乗せ部２１の底面に取付けられた角度変更部２４とを有し、まくら乗せ部２１の上面にまくら本体１０を着脱自在に載置できるようになっている。
まくら乗せ部２１の後側には前述したうつ伏せ用まくら３０が取付けられており、固定ベルト３２、３２をまくら乗せ部２１に巻着させることで、まくら乗せ部２１の底面側で固定ベルト３２、３２の末端に設けられた固着具３３、３３が接触し、固定ベルト３２、３２同士が接合される。この固定ベルト３２が巻着しているまくら乗せ部２１の後端には、切削部２５、２５が設けられている。該切削部２５は、固定ベルト３２が巻着する際に完全に覆われることにより、固定ベルト３２の繊維が切削部２５、２５の作り出す凹凸に引っ掛かり、うつ伏せ用まくら３０が簡単に動かないよう固定することができる。
まくら保持部２２は、外形が略半円板形の部材であり、二つのまくら保持部２２、２２がまくら乗せ部２１の対向する縁部に取付けてある。詳しくは、蝶番とバネで構成された付勢部材２３を用いて、まくら乗せ部２１に対して回動可能に取付けられており、まくら乗せ部２１に対して略直角となるようまくら乗せ部２１の内側へ向かって付勢されている。まくら本体１０は、付勢部材２３によるまくら乗せ部２１の内側へ向かって付勢する力によってまくら保持部２２、２２間で挟持されており一定の力で固定されているが、まくら本体１０と接する面にマジックテープ（登録商標）のＡ面（フック）等を装着すれば、まくら本体１０とまくら保持部２２の間の摩擦力が高まり、よりまくら本体１０がずれにくくなる。
角度変更部２４は、まくら乗せ部２１に載置されたまくら本体１０の傾斜角度の調節に用いられるものであり、図１に示されるようにまくら乗せ部２１の底面側、やや中央に取付けられている。詳しくは、まくら乗せ部２１の底面側中央部において、図示しない蝶番によって起倒自在に取付けてある。角度変更部２４を起こさなければ、健康まくらに傾斜がつかない状態になり、角度変更部２４を略９０度起こせば図２に示すような傾斜がつくため、使用者の好みに応じて本考案の健康まくらの角度が変更できる。なお、角度変更部２４を起こさず傾斜をつけない状態で本考案の健康まくらを使用しても良い。
【００１３】
次に、本考案の健康まくらの具体的な使用方法について説明する。
まず、うつ伏せで寝る際に使用する場合は、図２に示すように使用者の眉、眼、鼻、口及び顎がうつ伏せ用まくら３０とまくら本体１０の間に納まるように、まくら本体１０の位置を調節する。位置が調節されるとうつ伏せ用まくら３０及びまくら本体１０にはそれぞれ使用者の額と胸部が乗るため、図２のように使用者の鼻や口はまくらによって塞がれないような構成となり、うつ伏せで寝る際においても呼吸が苦しくならないようなまくらとなる。なお、角度変更部２４を起こして健康まくら全体に傾斜をつけることで使用者の上体がわずかに持ち上がり、より楽に呼吸することもできる。
この時、まくら本体１０には使用者の胸部、詳しくは鎖骨〜上位肋骨付近が押し付けられており、一見して気道の閉塞を助長しているようである。しかしながら、当該箇所が押さえつけられているまくら本体１０には前述した開口部１２が設けられており、これがちょうど鎖骨間の気道を覆う位置に調節することによって気道が圧迫されずうつ伏せの状態であっても呼吸し易く、気持ちよく眠ることができる。また、開口部１２が胸鎖関節、つまり２本の鎖骨の間を覆うようにまくら本体の位置を調節することで、胸鎖関節付近に存在するツボにまくら本体１０が押し当てられ、まくらスポンジ１４の反発力によって親指で指圧を行うかのような力加減でツボが刺激される。このように、睡眠時であってもツボが刺激され続けているため、睡眠に加えてツボの刺激によっても体調を整えることができる。
【００１４】
また、横を向いて寝る際に使用する場合は、図３のように頭部をまくら本体１０に置き、耳介が凹部１１にすっぽりと納まるように頭部の位置を調節する。なお、横向きで寝る場合において、うつ伏せ用まくら３０は使用しない。
この時、まくら本体１０には使用者の側頭部が接し、凹部１１に耳介が納められているが、頭部がまくら本体１０からずり落ちてしまうと、耳介が凹部１１から外れてしまい、まくら本体１０と頭部の間で押しつぶされてしまう虞がある。その場合、押しつぶされた耳介が睡眠中に痛み出し安眠を妨害してしまうが、開口部１２が開いていることにより、頭部と共にずり落ちてきた耳介がまくら本体１０に挟まれず、心地よい睡眠を持続することができる。
さらに、上述したうつ伏せで寝る際に使用した時と同様に、開口部１２が耳介を挟むように位置するため、周辺に存在するツボがまくらスポンジ１４の反発力によって親指で指圧を行うかのような力加減で刺激される。これによって、うつ伏せ時だけでなく横向きで寝る際においても睡眠中にツボが刺激され、睡眠とツボ両方の面から体調を整えることができる。
【００１５】
加えて、まくらスポンジ１４を一部切断し、外側に向けて折り曲げられるようにして設けられた切片Ｐは、図４（ｂ）に示すようにまくらスポンジ１４から飛び出ているため、まくらカバー１３を掛けた際にカバーの生地が引っ張られて皺が伸び、意匠性の良いまくらとすることができる。
【符号の説明】
【００１６】
１０  まくら本体
１１  凹部
１２  開口部
１４  まくらスポンジ
１５  貫通孔
Ｐ  切片
２０  器具本体
２１  まくら乗せ部
２２  まくら保持部
２４  角度変更部
３０  うつ伏せ用まくら
【図１】
0003221184.tif 000003
【図２】
0003221184.tif 000004
【図３】
0003221184.tif 000005
【図４】
0003221184.tif 000006